(57)【要約】【課題】固体発光素子を用いた複数の自動調光照明器具を、簡便にメインテナンスすることができるメインテナンスシステムを提供すること。【解決手段】複数の固体発光素子３３を任意の情報に基づき制御する電源装置３を含み構成される自動調光照明器具２と、任意の信号の授受により自動調光照明器具２をメインテナンスする端末９とにより構成されるメインテナンスシステム１であって、複数の自動調光照明器具２毎に設定される固有番号が付与されており、通信カード１０が配信する任意の信号（修正信号）には、メインテナンスを実施する少なくとも１台の自動調光照明器具２の固有番号が指定番号として含まれており、マイコンユニット４４は、通信ユニット４で受信した修正信号に含まれる指定番号に該自動調光照明器具２の固有番号が含まれていた場合に限り、修正信号に基づき任意の情報を修正する。【選択図】図４
2009134955.tif 000002
【特許請求の範囲】
【請求項１】
複数の固体発光素子と、前記複数の固体発光素子を任意の情報に基づき制御する電源ユニットとを含み構成される自動調光照明器具と、前記自動調光照明器具との間における任意の信号の授受により前記自動調光照明器具をメインテナンスするメインテナンス端末とにより構成されるメインテナンスシステムであって、
前記自動調光照明器具は複数具備されると共に、該自動調光照明器具毎に設定される固有番号が付与されており、
前記電源ユニットは、
無線通信回線を介して前記任意の信号の授受を行う送受信手段と、
前記任意の情報を修正する修正手段とを、
前記メインテナンス端末は、
無線通信回線を介して前記任意の信号の授受を行う端末送受信手段を
それぞれ含み構成され、
前記端末送受信手段が配信する前記任意の信号は、前記任意の情報を修正する修正信号であり、
前記修正信号には、メインテナンスを実施する少なくとも１台の前記自動調光照明器具の固有番号が指定番号として含まれており、
前記修正手段は、前記送受信手段で受信した前記修正信号に含まれる前記指定番号に、該自動調光照明器具の固有番号が含まれていた場合に限り、前記修正信号に基づき前記任意の情報を修正する
ことを特徴とするメインテナンスシステム。
【請求項２】
前記修正信号は、
前記指定番号を保持するＩＤ部と、
前記任意の情報を修正する情報を保持するデータ部と
により構成されることを特徴とする請求項１に記載のメインテナンスシステム。
【請求項３】
前記任意の情報には、時刻に関する情報が含まれる
ことを特徴とする請求項１又は２に記載のメインテナンスシステム。
【請求項４】
前記任意の情報には、前記複数の固体発光素子の調光スケジュールに関する情報が含まれる
ことを特徴とする請求項１〜３の何れか１項に記載のメインテナンスシステム。
【請求項５】
前記送受信手段が配信する前記任意の信号とは、前記任意の情報に基づく照明信号であって、
前記メインテナンス端末は、さらに、
前記端末送受信手段で受信した前記照明信号に基づき画面表示を行う表示手段
を備えることを特徴とする請求項１〜４の何れか１項に記載のメインテナンスシステム。
【請求項６】
前記照明信号は、
前記固有番号を保持するＩＤ部と、
前記任意の情報を保持するデータ部と
により構成されることを特徴とする請求項５に記載のメインテナンスシステム。
【請求項７】
前記メインテナンス端末は、さらに、
前記メインテナンス端末において操作可能な前記自動調光照明器具の前記固有番号をリストとして保持するリスト保持手段
を備え、
前記指定番号は、前記リストに保持される前記固有番号より選択されたものである
ことを特徴とする請求項１〜６の何れか１項に記載のメインテナンスシステム。
【請求項８】
前記自動調光照明器具は、さらに、
前記送受信手段において、前記修正信号の受信が行われていることを前記自動調光照明器具の外部に通知する通知手段
を備え、
前記通知手段は、前記複数の固体発光素子のうち少なくとも1つを任意の発光パターンにより点灯させる
ことを特徴とする請求項１〜７の何れか１項に記載のメインテナンスシステム。
【請求項９】
前記任意の発光パターンとは、点滅点灯である
ことを特徴とする請求項８に記載のメインテナンスシステム。
【請求項１０】
前記自動調光照明器具は、さらに、
金属により構成されると共に、具備する中空構造内に前記電源ユニットを保持する筐体手段
を備え、
前記筐体手段は、前記電源ユニットの一部構成を外部に露出した状態で保持する
ことを特徴とする請求項１〜９の何れか１項に記載のメインテナンスシステム。
【請求項１１】
前記送受信手段は、さらに、
アンテナ
を備え、
前記筐体手段において、外部に露出される前記電源ユニットの構成とは、前記アンテナである
ことを特徴とする請求項１０に記載のメインテナンスシステム。
【発明の詳細な説明】
【技術分野】
【０００１】
本発明はメインテナンスシステムに関し、特に、固体発光素子を光源とした自動調光照明器具のメインテナンスシステムに関する。
【背景技術】
【０００２】
近年、環境への意識の向上が高まり、白熱電球、蛍光ランプおよび水銀ランプ等のランプ類に替わる新しい光源として、固体発光素子、特に発光ダイオード（以下、ＬＥＤと記載）が注目を集めている。なぜなら、ＬＥＤは、上述したランプ類の光源と比較して長寿命な光源であり、また水銀および鉛といった有害物質を含まない、すなわち、環境に優しい光源であるからである。
【０００３】
ＬＥＤの中でも、１Ｗ以上の入力容量を有するいわゆるハイパワーＬＥＤは、発光強度が強く照明用途に最適である。また、ＬＥＤの光変換効率は年々向上しており、今後ハイパワーＬＥＤを光源とした照明は、省エネルギー光源としての期待も高まっている。
【０００４】
ここで、ＬＥＤを使用した照明器具においては、ＬＥＤ自身の特徴を活かし自在な調光を行うことが可能なタイプがある。これは、ＬＥＤは、供給する電流値に応じて自在に発光強度を変化することが可能であることに起因する。上記調光を行う方法として種々の方式があるが、例えば、予め照明器具内に何らかの情報を備えておき、その情報に基づき調光を行うもの（以下、自動調光照明器具と記載）がある。
【０００５】
ここで、例えば工場やオフィスなど広い空間に対し、自動調光照明器具を適用する場合においては、必要な照明による明るさを得るため、複数の自動調光照明器具を同時に使用することが一般的である。このような場合において、各自動調光照明器具が保持する情報に誤差が生じていれば、各自動調光照明器具の調光に不整合が生じてしまう（例えば、オフィス内に設置された各自動調光照明器具がバラバラに調光されてしまう）。このことは利用者の利便性を損ねる原因となり得る。そのため、複数の自動調光照明器具に保持する情報を整合させるためのメインテンスシステムが必要である。
【０００６】
このような状況を鑑みてか、特許文献１に開示される照明装置においては、リモコンと、照明器具との間で、赤外線信号の授受を行うとされている。リモコンからの要求に基づき、照明器具の動作状態がリモコンに送信される。リモコンは受信した照明器具の動作状態を表示部に表示する。このようにすることにより、利用者は表示部に表示される照明器具の動作状態を参照しつつ、所望の動作状態を、リモコンを介して照明器具に指示できるとされている。
【０００７】
以上によれば、特許文献１に開示される照明装置は、上記のような複数の自動調光照明器具に保持する情報を整合させるメインテナンスシステムとしても使用できる可能性があるように一見思われる。
【特許文献１】特開２００２−２６０８７７号公報
【発明の開示】
【発明が解決しようとする課題】
【０００８】
しかしながら、実際には、上記のような複数の自動調光照明器具に保持する情報を整合させるメインテナンスシステムとして、特許文献１に開示される照明装置を使用することは困難である。
【０００９】
上記のようなメインテナンスシステムは、複数の自動調光照明器具が備えられることを想定しているものである。一方、特許文献１に開示される照明装置は、個々の照明器具毎に対し、リモコンにより所望の動作状態を指示しなければならない。したがって、特許文献１の照明装置においては、複数の照明器具に対し動作状態を指示するために多大な手間と、複雑な操作が必要となることが危惧される。更には、照明器具１台ずつに個別に動作状態を指示するということは、新たな不整合を生じさせる原因となりかねない。
【００１０】
また、特許文献１に開示される照明装置においては、複数の照明器具が備えられる場合、予めグループ化することも開示されている。この場合において、前記グループ内の複数の照明器具に対し、一度に指示を行うことができるとされている。
【００１１】
しかしながら、このようなグループ化を行ったとしても、特許文献１に開示される照明装置を、上記のような複数の自動調光照明器具に保持する情報を整合させるメインテナンスシステムとして使用することは困難である。これは、グループ単位でしかメインテナンスを行うことができないためであり、例えば、任意に選択した自動調光照明器具に対してメインテナンスを行うことが不可能となってしまうためである。このことは、利用者の利便性を損なう原因となる。
【００１２】
本発明は、上述の事情を鑑みてなされたものであって、固体発光素子を用いた複数の自動調光照明器具を、簡便にメインテナンスすることができるメインテナンスシステムを提供することを目的とする。
【課題を解決するための手段】
【００１３】
上記課題は、複数の固体発光素子と、前記複数の固体発光素子を任意の情報に基づき制御する電源ユニットとを含み構成される自動調光照明器具と、前記自動調光照明器具との間における任意の信号の授受により前記自動調光照明器具をメインテナンスするメインテナンス端末とにより構成されるメインテナンスシステムであって、前記自動調光照明器具は複数具備されると共に、該自動調光照明器具毎に設定される固有番号が付与されており、前記電源ユニットは、無線通信回線を介して前記任意の信号の授受を行う送受信手段と、前記任意の情報を修正する修正手段とを、前記メインテナンス端末は、無線通信回線を介して前記任意の信号の授受を行う端末送受信手段をそれぞれ含み構成され、前記端末送受信手段が配信する前記任意の信号は、前記任意の情報を修正する修正信号であり、前記修正信号には、メインテナンスを実施する少なくとも１台の前記自動調光照明器具の固有番号が指定番号として含まれており、前記修正手段は、前記送受信手段で受信した前記修正信号に含まれる前記指定番号に、該自動調光照明器具の固有番号が含まれていた場合に限り、前記修正信号に基づき前記任意の情報を修正することにより解決することができる。
【００１４】
この構成によれば、メインテナンス端末を用いて、複数の自動調光照明器具を簡便にメインテナンスできる。１つの修正信号により複数の自動調光照明器具をメインテナンスできるため、各自動調光照明器具の調光の整合性を取ることができるという効果がある。
【００１５】
ここで、前記修正信号は、前記指定番号を保持するＩＤ部と、前記任意の情報を修正する情報を保持するデータ部とにより構成されてもよい。
【００１６】
この構成によれば、簡便なデータ形式で修正信号を構成できるという効果がある。データ量が大きくないため、送受信手段、及び端末送受信手段を安価な低速通信デバイスで構成できるというメリットもある。
【００１７】
ここで、前記任意の情報には、時刻に関する情報が含まれてもよい。また、前記任意の情報には、前記複数の固体発光素子の調光スケジュールに関する情報が含まれてもよい。
【００１８】
この構成によれば、時刻、調光スケジュールに基づき自動的に調光がなされる自動調光照明器具を、本メインテナンスシステムでメインテナンスできるという効果がある。
【００１９】
ここで、前記送受信手段が配信する前記任意の信号とは、前記任意の情報に基づく照明信号であって、前記メインテナンス端末は、さらに、前記端末送受信手段で受信した前記照明信号に基づき画面表示を行う表示手段を備えてもよい。
【００２０】
この構成によれば、自動調光照明器具に設定されている任意の情報を参照しつつ、メインテナンス端末を用いてメインテナンスを行うことができるという効果がある。
【００２１】
ここで、前記照明信号は、前記固有番号を保持するＩＤ部と、前記任意の情報を保持するデータ部とにより構成されてもよい。
【００２２】
この構成によれば、簡便なデータ形式で照明信号を構成できるという効果がある。データ量が大きくないため、送受信手段、及び端末送受信手段を安価な低速通信デバイスで構成できるというメリットもある。
【００２３】
ここで、前記メインテナンス端末は、さらに、前記メインテナンス端末において操作可能な前記自動調光照明器具の前記固有番号をリストとして保持するリスト保持手段を備え、前記指定番号は、前記リストに保持される前記固有番号より選択されたものであってよい。
【００２４】
この構成によれば、メインテナンス端末を使用して、メインテナンスを実施できる自動調光照明器具を限定することができるという効果がある。
【００２５】
ここで、前記自動調光照明器具は、さらに、前記送受信手段において、前記修正信号の受信が行われていることを前記自動調光照明器具の外部に通知する通知手段を備え、前記通知手段は、前記複数の固体発光素子のうち少なくとも１つを任意の発光パターンにより点灯させてもよい。また、前記任意の発光パターンとは、点滅点灯であってもよい。
【００２６】
この構成によれば、修正信号の受信が行われていることを目視にて確認できるという効果がある。
【００２７】
ここで、前記自動調光照明器具は、さらに、金属により構成されると共に、具備する中空構造内に前記電源ユニットを保持する筐体手段を備え、前記筐体手段は、前記電源ユニットの一部構成を外部に露出した状態で保持してもよい。また、前記送受信手段は、さらにアンテナを備え、前記筐体手段において、外部に露出される前記電源ユニットの構成とは、前記アンテナであってよい。
【００２８】
この構成によれば、アンテナを通じて安定した前記任意の信号の授受を行うことができるという効果がある。
【発明の効果】
【００２９】
本発明によれば、固体発光素子を用いた複数の自動調光照明器具を、簡便にメインテナンスすることができるメインテナンスシステムを提供することができる。
【発明を実施するための最良の形態】
【００３０】
以下、本発明に係るメインテナンスシステムの実施の形態について、図面を参照しながら詳細に説明する。
【００３１】
まず、本発明のメインテナンスシステムの構成を説明する。
図１は、本発明のメインテナンスシステム１の外観を示す斜視図である。図２は、自動調光照明器具２のＡ方向面の構造を示す断面図である。
【００３２】
図１に示すようにメインテナンスシステム１は、自動調光照明器具２と、端末９とにより構成される。自動調光照明器具２は、複数台備えられるが、ここでは自動調光照明器具２を１台のみ記載している。自動調光照明器具２は、筐体部３１を備える。
【００３３】
以下では、まず自動調光照明器具２について説明する。
電源装置３は、本発明の電源ユニットの送受信手段を除く構成要素に相当し、コンセント７と、筐体２２とにより構成される。電源装置３は交流の電源（商用電源）を直流に変換し、複数の固体発光素子３３に直流を供給する。電源装置３は、筐体部３１が有する２つの中空構造の内、固体発光素子３３が備えられない取り付け方向側の中空構造内に配される。
【００３４】
ここで、筐体２２は、箸箱型のケースであり、電源装置３の外観上の形状となる。ここで、例えば、筐体２２の大きさは、箸箱と同等の大きさである。また、筐体２２は、その内部に電源装置３を構成する回路素子が収納されている。なお、筐体２２の形状はこの形状に限定されない。円柱形であってもよく、そのほかの形状でよってもよい。
【００３５】
通信ユニット４（本発明の送受信手段に相当する）は、端末９との間で無線通信回線を利用した通信を行うために供されるものであって、筐体部３１に取り付けられる。通信ユニット４の筐体部３１に対する取り付け位置は任意であってよいが、少なくとも通信アンテナ部５（本発明のアンテナに相当する）が筐体部３１の外部に露出された状態で取り付けられることが必要である。
【００３６】
これは、通信アンテナ部５は、無線通信回線を利用した通信のインタフェイスであり、また筐体部３１は後に述べるように金属である。したがって、その内部に通信アンテナ部５が収納された状態では、いわゆる遮蔽された状態となり、安定した通信が得られない可能性がある。それ故、発明者らは通信アンテナ部５が、筐体部３１の外部に露出される状態で取り付けられることが望ましいと考えるに至った。
【００３７】
確認灯６は、本発明の通知手段に相当し、通信ユニット４において受信が行われている際に点灯するものである。これにより、メインテナンスシステム１の利用者（不図示）は受信が行われることを目視により確認することが可能となる。なお、確認灯６は、受信が行われている際に例えば点滅点灯し、このことにより自動調光照明器具２の外部に通知を行ってよい。
【００３８】
また、確認灯６にかわる本発明の通知手段に相当する構成として、固体発光素子３３を使用してもよい。すなわち、通信ユニット４において受信が行われている際に、固体発光素子３３を特定のパターンで発光させる（例えば、点滅点灯させる）ことで、自動調光照明器具２の外部に通知を行ってよい。この際、複数の固体発光素子３３全てに特定のパターンでの発光をさせてもよいが、その一部の固体発光素子３３のみで、特定のパターンでの発光をさせてもよい。肝要なことは、メインテナンスシステム１の利用者（不図示）が、受信が行われることを目視により確認することが可能であることである。
【００３９】
コンセント７は、電源装置３が商用等の交流の電源を利用するために用いられ、商用電源４１と電源装置３とを接続する。
【００４０】
筐体部３１は、本発明の筐体手段に相当する。その内部に、電源装置３と、基板３２と、複数の固体発光素子３３と、保護用透光板３４とを備える。また、通信ユニット４が通信アンテナ部５を筐体部３１の外部に露出された状態で保持している。さらに、確認灯６も保持している。
【００４１】
筐体部３１は、断面が略Ｈの字形状に形成される。すなわち、２つの中空構造を有するよう構成される。筐体部３１は、熱伝導率が高い金属（好ましくは、熱伝導率が２００Ｗ・ｍ-1・Ｋ-1以上の金属）により構成される。例えば、筐体部３１は、アルミニウムで構成される。筐体部３１にアルミニウムを用いる理由としては、安価であること、成形が行いやすいこと、リサイクル性が良いこと、熱伝導率が２００Ｗ・ｍ-1・Ｋ-1以上であること、及び放熱特性が高いことなどが挙げられる。また、筐体部３１は、アルミニウムで構成した後、アルマイト処理することが望ましい。アルマイト処理することによって、表面積が増加し、放熱効果が高まる。
【００４２】
なお、筐体部３１はこの形状に限定されるものではなく、例えば円筒形などであってよい。自動調光照明器具２の設置される状況に応じて任意に決定してよい。
【００４３】
基板３２は、筐体部３１と保護用透光板３４とにより形成される中空構造の内側に配置される。基板３２は、中空構造の内側の保護用透光板３４に対向する面の表面に形成される。基板３２は、熱伝導率が高い金属（好ましくは、熱伝導率が２００Ｗ・ｍ-1・Ｋ-1以上の金属）により構成される。好ましくは筐体部３１と同一材質により構成される。例えば、基板３２は、アルミニウムにより構成される。
【００４４】
ここで、筐体部３１と、基板３２とは、互いに接触させることが好ましい。なぜならば、筐体部３１と基板３２との間に、空気が入ることにより、筐体部３１と基板３２との間の熱伝導が阻害され、このことより効率的な熱処理ができなくなるためである。すなわち、筐体部３１と基板３２とを同じ材質により構成することにより、筐体部３１と基板３２との密着性を高めることが好ましい。さらに、プレス加工を行い、密着性をより高めることが好ましい。
【００４５】
上記プレス加工を行う際には、筐体部３１と基板３２との間に接着性を有する材料（例えば、接着剤又は基材なしの両面テープなど）（不図示）を挟み込み、両者の密着性を高めることが好ましい。
【００４６】
なお、両面テープを使用する場合には、基材を含まないものを選択することが肝要である。それは、基材は熱伝導率が低いので、筐体部３１から基板３２への熱伝導が阻害されるためである。
【００４７】
また、基板３２を複数個に分割することも好ましい。これは、筐体部３１と基板３２との線膨張係数が異なる場合において、自動調光照明器具２の温度が上昇した際に、筐体部３１と基板３２との密着性が悪化することを防ぐためである。基板３２を分割することにより、基板３２の１枚あたりの長手方向の長さが短くなる。これにより、基板３２の１枚あたりの膨張量が小さくなる。よって、接着性を有する材料で筐体部３１と基板３２との膨張の違いを吸収しやすくなるので、筐体部３１と基板３２との密着性を維持しやすくなる。この基板３２を分割する手法は、特に自動調光照明器具２の長手方向の長さが長い場合に有効である。
【００４８】
複数の固体発光素子３３は、基板３２に配置される。複数の固体発光素子３３は、例えば、ＬＥＤである。固体発光素子３３は、１個当たりの消費電力が１Ｗ以上のいわゆるハイパワーＬＥＤであり、表面実装型のＬＥＤである。ハイパワーＬＥＤは、光度が高く照明器具用途に好適である。自動調光照明器具２を一般的な照明として使用する場合、使用する固体発光素子３３の発光色は、昼光色、昼白色、白色、温白色又は電球色などに相当するものが好適である。具体的には、例えば、複数の固体発光素子３３は、ＪＩＳＺ９１１２「蛍光ランプの光源色及び演色性による区分」の４．２「色度範囲」に規定された昼光色、昼白色、白色、温白色又は電球色に相当する光を発光する。
【００４９】
保護用透光板３４は、筐体部３１が有する２つの中空構造の内、固体発光素子３３が備えられる発光方向側に配され、透光性を有する。保護用透光板３４は、平板状に形成される。筐体部３１と保護用透光板３４とを一体的に組み合わせることで、断面が略四角形状となる。
【００５０】
保護用透光板３４は、透光性を有するガラス又はアクリル樹脂、ポリカーボネート等により形成される。保護用透光板３４の表面又は裏面には、表面処理により、微細な凹凸が不均一に形成される。この表面処理は、例えば、サンドブラスト法を適用することにより容易に行うことができる。保護用透光板３４は、自動調光照明器具２の内部に配置される固体発光素子３３などを保護する。また、保護用透光板３４は、固体発光素子３３から発せられた光を拡散する役目を担う。固体発光素子３３から発せられた光は、指向性が強く、局所的に照射される傾向にある。固体発光素子３３から発せられた光を表面処理された保護用透光板３４により拡散することによって、光の指向性を弱め、広い面積に均一に光を照射することができる。
【００５１】
なお、保護用透光板３４の形状は上記に限られず、筐体部３１の形状に合わせて任意に設定してよい。肝要なことは透光性を有する材料により構成することである。
【００５２】
次に、端末９について説明する。
端末９（本発明のメインテナンス端末に相当する）は、自動調光照明器具２を操作するものである。一般的なノートパソコン等により構成してよい。端末９には、通信カード１０（本発明の端末送受信手段に相当する）が設けられており、これは、自動調光照明器具２に備えられる通信ユニット４との間で、無線通信回線を利用した通信に供される。また、メインテナンスシステム１の利用者（不図示）が、操作のために入力する入力ボタン１１、また各種情報を表示する表示画面１２（本発明の表示手段に相当する。）が設けられる。
【００５３】
通信カード１０は、端末９をノートパソコン等を利用して構成した場合、ノートパソコン等に一般的に設けられるインタフェイスにて接続可能なものとして構成することが望ましい。例えば、ＰＣカードとして構成する、あるいはＵＳＢ端子を利用して接続可能なものとして構成してよい。このようにすることにより、簡便に端末９を構成することが可能となる。
【００５４】
ここで、上記のようにメインテナンスシステム１は自動調光照明器具２を複数台備える。例えば、図３のように自動調光照明器具２を９台（当然に自動調光照明器具２の台数はこの数に限定されない。）備え、オフィス２０１の照明としてメインテナンスシステム１を用いてもよい。ここでは、自動調光照明器具２は、２ａ、２ｂ、２ｃ、２ｄ、２ｅ、２ｆ、２ｇ、２ｈ、２ｉの９台、オフィス２０１天井面に備えられている。
【００５５】
また、このようにオフィス２０１において、メインテナンスシステム１を使用する際、上記のように端末９をノートパソコンにて構成すれば、このオフィス２０１の利用者（このオフィスに勤務する従業員：不図示）が業務に使用するノートパソコンをそのまま利用して、自動調光照明器具２（２ａ、２ｂ、２ｃ、２ｄ、２ｅ、２ｆ、２ｇ、２ｈ、２ｉ）をメインテナンスすることが可能となる。専用の機器を使用することなく、業務に使用するノートパソコンを利用して端末９を構成できるため、コスト削減、及び利便性の向上につながるというメリットがある。
【００５６】
ここで、メインテナンスシステム１について、図４に示す機能ブロック図に基づき説明する。
【００５７】
自動調光照明器具２には、整流部４２と、選択部４３と、マイコンユニット４４と、通信ユニット４と、固体発光素子３３と、確認灯６とが含まれる。
【００５８】
マイコンユニット４４には、メモリ４４ａが含まれており、通信ユニット４には、通信アンテナ部５が含まれている。
【００５９】
端末９には、通信カード１０と、入力ボタン１１と、表示画面１２とが含まれる。通信カード１０には、端末メモリ１０ａと、端末アンテナ部１０ｂとが含まれる。
【００６０】
自動調光照明器具２は、外部の電源である商用電源４１から供給される交流の電源を利用して、固体発光素子３３、確認灯６に直流を供給し発光させる。
【００６１】
商用電源４１は、具体的に、一般家庭、事業所などに電力会社から供給され、自動調光照明器具２に交流を供給する電源である。
【００６２】
整流部４２は、前記交流の電源の正弦波の電圧を脈流に変換する。具体的には、商用電源４１から供給された交流電圧を全波整流し、全波整流波形を選択部４３へ出力する。
【００６３】
選択部４３は、整流部４２から出力される脈流を通過させるオン時間と前記脈流を通過させないオフ時間との比であるデューティ比を制御された脈流の電圧を出力する。具体的には、整流部４２から出力された全波整流波形を、所定の時間間隔で分割し、所定の時間間隔に分割された全波整流波形を、上記所定の時間間隔の各期間内でパルス状波形の電圧に変圧する。
【００６４】
ここで、デューティ比を制御することにより、固体発光素子３３、確認灯６からの発光を調光（点灯、消灯を含め発光強度を自在に変更できるということを指す）することが可能となる。これは、出力のデューティ比を制御するということは、単位時間内の電力量を制御することと同じ意味である。したがって、出力のデューティ比を制御することで固体発光素子３３、確認灯６からの発光を調光することができる。
【００６５】
なお、選択部４３は、マイコンユニット４４に制御されることで、上記を実現している。
【００６６】
マイコンユニット４４は、本発明の修正手段に相当する機能を含んでいる。マイコンユニット４４には、メモリ４４ａが内包されている。
【００６７】
まず、メモリ４４ａには、自動調光照明器具２毎に付与される固有番号が保持されている。さらには、調光スケジュール等が保持されている。ここで、調光スケジュールとは、例えば図５に示すようなタイムテーブルとして調光スケジュールが保持されている。このタイムテーブルは、図５に示すとおり時刻と、当該時刻になったときに行う調光が示されている。なお、本タイムテーブルにおいて、調光をパーセント表示しているが、これはフル点灯時の発光強度を１００％とし、それに対する発光強度の割合を表している。
【００６８】
また、マイコンユニット４４には、時計（不図示）が内蔵されている。マイコンユニット４４は、この時計（不図示）が示す時刻に基づき、メモリ４４ａに保持される調光スケジュールに沿って、調光を行うべく選択部４３に対し制御を行う。すなわち、自動調光照明器具２は、調光スケジュールに沿って自動的に調光が行われる。
【００６９】
また、マイコンユニット４４は、本発明の修正手段に相当する機能として、メモリ４４ａに保持される調光スケジュールや、内蔵する時計（不図示）が示す時刻の修正を行う。
【００７０】
具体的には、まず端末９の通信カード１０より配信され、通信ユニット４で受信した信号（以下、修正信号と記載）に含まれる指定番号が、自身の固有番号と一致するか否かチェックする。一致した場合に限り、修正信号に基づき、メモリ４４ａに保持される調光スケジュールや、内蔵する時計（不図示）が示す時刻の修正を行う。
【００７１】
また、マイコンユニット４４は、通信ユニット４で修正信号の受信が行われている場合は、選択部４３に対し制御を行い、固体発光素子３３、確認灯６を点灯（例えば点滅点灯）させる。これは、通信ユニット４で信号の受信が行われていることを、自動調光照明器具２の外部に通知するためである。
【００７２】
また、マイコンユニット４４は、マイコンユニット４４内のメモリ４４ａに保持される自動調光照明器具２毎に付与される固有番号、調光スケジュール、またマイコンユニット４４内の時計（不図示）が示す時刻等の情報を通信ユニット４に送付する。
【００７３】
固体発光素子３３、確認灯６は、選択部４３からの出力により点灯する。
通信ユニット４は、通信アンテナ部５を含み構成される。通信ユニット４からは、無線通信回線を介し、信号（以下、照明信号と記載）が配信される。この照明信号とは、マイコンユニット４４内のメモリ４４ａに保持される自動調光照明器具２毎に付与される固有番号、調光スケジュール、またマイコンユニット４４内の時計（不図示）が示す時刻等の情報に基づく信号である。端末９に向けて通信アンテナ部５により配信される。また、端末９の通信カード１０から配信される修正信号を通信アンテナ部５により受信し、この信号をマイコンユニット４４に送付する。
【００７４】
通信カード１０は、端末メモリ１０ａと、端末アンテナ部１０ｂとを含み構成される。端末メモリ１０ａには、端末９を用いてメインテナンスを行うことが可能な自動調光照明器具２の固有番号が保持されている。これは、例えば図６の示すリストとして保持されている。このリストには、端末９を用いてメインテナンス可能な自動調光照明器具２の固有番号が記されている。
【００７５】
このように、端末９を用いてメインテナンスを行うことが可能な自動調光照明器具２の固有番号を保持する理由は、例えば図３に示すようなオフィスにおいて、自動調光照明器具２ａの付近にデスクを有する利用者（不図示）が保有する端末９においては、当該デスクより遠く離れた自動調光照明器具２ｉをメインテナンスする必要はほとんどないと考えられる。むしろ誤ってメインテナンスしてしまうことを避けるために、自動調光照明器具２ａの付近にデスクを有する利用者（不図示）が保有する端末においては、自動調光照明器具２ｉをメインテナンスできないようにしておいたほうがよいケースも考えられる。以上に基づき、端末９を用いてメインテナンスを行うことが可能な自動調光照明器具２の固有番号を端末メモリ１０ａに保持するとして構成した。
【００７６】
また、通信カード１０からは、端末アンテナ部１０ｂより、無線通信回線を介し、修正信号が配信される。この修正信号とは、マイコンユニット４４内のメモリ４４ａに保持される調光スケジュール、また時計（不図示）が示す時刻を修正するための信号である。修正信号は、入力ボタン１１を介して利用者（不図示）が入力した情報、及び端末９内の時計の示す時刻等に基づくものである。
【００７７】
また、修正信号には、メインテナンスを実施する自動調光照明器具２を指定するために指定番号が含まれる。指定番号とは、前述の端末メモリ１０ａに保持されているメインテナンスを行うことが可能な自動調光照明器具２の固有番号のリストの中から、任意に選択（例えば入力ボタン１１を介して利用者（不図示）により選択）された固有番号である。なお、複数台の自動調光照明器具２を指定する際には、複数個の指定番号が修正信号に含まれる。
【００７８】
また、自動調光照明器具２の通信ユニット４から配信される照明信号を端末アンテナ部１０ｂにより受信し、この信号に基づき表示画面１２に表示を行う。
【００７９】
入力ボタン１１は、メインテナンスシステム１の利用者（不図示）が所望のメインテナンスを行うために必要な情報を入力するためのキーパッドである。
【００８０】
表示画面１２は、利用者（不図示）に対し、照明信号に基づく情報、例えば自動調光照明器具２の固有番号、調光スケジュール、また時計（不図示）が示す時刻などを表示する。
【００８１】
ここで、通信ユニット４と、通信カード１０との間の送受信は、無線通信回線を利用して行われる。この無線通信回線は、通信可能距離が少なくとも１０［ｍ］であり、電源装置３（自動調光照明器具２）が高所に取り付けられる場合においても、端末９により、自動調光照明器具２を確実に操作することが可能である。
【００８２】
また、前述のように通信可能距離が少なくとも１０［ｍ］あるため、端末９を自動調光照明器具２に向けて操作することも不要であり、利用者（不図示）の利便性を向上することができる。
【００８３】
また、通信ユニット４と、通信カード１０との間で授受される信号（修正信号、照明信号）の形式は、例えば図７のようなものである。通信ユニット４と、通信カード１０との間で授受される信号には、ＩＤ部７１と、データ部７２とが具備される。
【００８４】
ＩＤ部７１には、修正信号においては、メインテナンスを実施する自動調光照明器具２の指定番号、照明信号においては、当該自動調光照明器具２の固有番号が記述される。
【００８５】
データ部７２には、修正信号においては、メモリ４４ａに保持される調光スケジュール、またマイコンユニット４４の内蔵する時計（不図示）が示す時刻の修正値、照明信号については、当該自動調光照明器具２のメモリ４４ａに保持されている調光スケジュールや、マイコンユニット４４の時計（不図示）が示す時刻が記述される。
【００８６】
ここで、この通信ユニット４と、通信カード１０との間で授受される信号（修正信号、照明信号）のデータ量は、上記よりも明らかであるように大きなものではない。よって、高速のデータ通信が可能な無線通信回線を本メインテナンスシステム１に採用する必要はなく、簡易的な通信回線であってよい。例えば、赤外線通信を利用したものであってよい。また標準化された、低速の無線通信を利用したものであっても良い。このようにすることにより、本メインテナンスシステム１は安価に構成することができるというメリットがある。
【００８７】
次に、メインテナンスシステム１における自動調光照明器具２の端末９によるメインテナンスを、図８のフローチャートに基づき説明する。
【００８８】
Ｓ８１において、自動調光照明器具２の通信ユニット４の通信アンテナ部５から配信されている照明信号を、端末９の通信カード１０（端末アンテナ部１０ｂ）により受信する。
【００８９】
照明信号は、所定の時間間隔で、定期的に配信するようにしてよい。例えば、１分間に１度自動的に配信するようにしてよい。また、照明信号には、マイコンユニット４４内のメモリ４４ａに保持される自動調光照明器具２毎に付与される固有番号、調光スケジュール、またマイコンユニット４４内に内蔵される時計（不図示）が示す時刻等の情報が含まれている。
【００９０】
図８のＳ８２において、端末９は、通信カード１０（端末アンテナ部１０ｂ）で受信した照明信号の内容を、表示画面１２に表示する。具体的には、自動調光照明器具２の自動調光照明器具２毎に付与される固有番号、調光スケジュール、またマイコンユニット４４内の時計（不図示）が示す時刻等が表示される。
【００９１】
ここで、通信カード１０においては、その内部の端末メモリ１０ａに、端末９を用いてメインテナンスを行うことが可能な自動調光照明器具２の固有番号が保持されている。通信カード１０は、受信した照明信号に含まれる固有番号が、端末メモリ１０ａに保持されている前記リストに含まれるか否かを確認する。この確認結果に基づき、端末９によりメインテナンスを行うことが可能か否かの情報も表示画面１２に表示することが好ましい。
【００９２】
図８のＳ８３において、端末９は、調光スケジュールの修正情報、及び／又は時刻修正情報を受け付ける。この受付は、メインテナンスシステム１の利用者（不図示）が、入力ボタン１１を利用して入力した調光スケジュールの修正情報、及び／又は時刻修正情報であってよい。また、端末９に内蔵される時計（不図示）の示す時刻に基づく時刻修正情報等であってもよい。
【００９３】
なお、メインテナンスシステム１の利用者（不図示）が入力ボタン１１を利用して修正情報を入力する際は、Ｓ８２において表示画面１２に表示される内容を参照しながら作業を進めることができる。このことは、メインテナンスシステム１の利用者（不図示）の利便性を高めることにつながる。
【００９４】
図８のＳ８４において、端末９は、メインテナンスを行う自動調光照明器具２の指定を行うために指定番号を決定する。これは、メインテナンスシステム１の利用者（不図示）が、Ｓ８２において表示画面１２に表示される各自動調光照明器具２のメインテナンスを行うことが可能か否かの情報に基づき、入力ボタン１１を利用して、メインテナンスを実施する自動調光照明器具２を決定することによって行ってよい。なお、この際指定番号は複数であってよい。すなわち、複数の自動調光照明器具２を指定することができる。
【００９５】
図８のＳ８５において、端末９は、Ｓ８３における調光スケジュールの修正情報、及び／又は時刻修正情報、及びＳ８４における指定番号に基づく、修正信号を作成する。この修正信号は、通信カード１０が備える端末アンテナ部１０ｂより配信する。
【００９６】
図８のＳ８６において、自動調光照明器具２の通信ユニット４の通信アンテナ部５は、Ｓ８５において通信カード１０が備える端末アンテナ部１０ｂより配信された修正信号を受信する。受信した修正信号は、マイコンユニット４４に送付される。
【００９７】
なお、この修正信号を通信アンテナ部５より受信している際には、マイコンユニット４４は、選択部４３を制御し、固体発光素子３３及び／または、確認灯６を特定のパターンで点灯（例えば点滅点灯）させる。このことにより、通信ユニット４（通信アンテナ部５）で信号の受信が行われていることを、自動調光照明器具２の外部に通知することができる。
【００９８】
図８のＳ８７において、マイコンユニット４４は、修正信号に含まれる指定番号に、当該自動調光照明器具２の固有番号が含まれているか否か判断する。含まれていれば（Ｓ８７でＹＥＳ）、Ｓ８８に進む。含まれていなければ、処理を終了する。
【００９９】
図８のＳ８８において、マイコンユニット４４は、修正信号に含まれる調光スケジュールの修正情報、及び／又は時刻修正情報に基づき、メモリ４４ａに保持される調光スケジュールの修正、及び／又は内蔵する時計（不図示）が示す時刻の修正を行う。
【０１００】
以上により、メインテナンスシステム１は、端末９を用いて、複数の自動調光照明器具２のメインテナンスを簡便に、また同時に実施することができる。
【０１０１】
例えば工場やオフィスなど広い空間に対し、自動調光照明器具２を適用する場合においては、必要な照明による明るさを得るため、複数の自動調光照明器具２を同時に使用することが一般的である。このような場合において、各自動調光照明器具２が保持する情報（調光スケジュールや、内部の時計（不図示）が示す時刻）に誤差が生じていれば、各自動調光照明器具２の調光に不整合が生じてしまう（例えば、オフィス内に設置された各自動調光照明器具がバラバラに調光されてしまう）。このことは利用者の利便性を損ねる原因となり得る。そのため、複数の自動調光照明器具２に保持する情報を整合させるためのメインテンスシステム１が必要である。
【０１０２】
ここで、特許文献１に開示される照明装置を、自動調光照明器具２のメインテナンスシステムとして利用しようとした際には、個々の自動調光照明器具２に対し、個別にメインテナンスを行うことが原則必要である。したがって、特開２００２−２６０８７７号公報の照明装置においては、複数の自動調光照明器具に対しメインテナンスを実施するために多大な手間と、複雑な操作が必要となることが危惧される。更には、個々の自動調光照明器具２に対し、個別に動作状態を指示するということは、新たな不整合を生じさせる原因となりかねない。
【０１０３】
複数の自動調光照明器具２を一度にメインテナンスすることに適用可能な方法として、自動調光照明器具２をグループ化する方法も開示されているが、あらかじめグループ化した単位でしかメインテナンスを実施することができない。このことは、その利用者の利便性を損なう要因となる。
【０１０４】
一方、本発明の照明システムにおいては、利用者が所望する複数の自動調光照明器具２に対し、簡便に同時にメインテナンスを行うことができる。同一の情報に基づき、複数の自動調光照明器具２の調光スケジュールや、時計の時刻を修正することができる。そのため、各自動調光照明器具２の調光を整合させることが容易にできる。
【０１０５】
なお、本発明のメインテナンスシステム１は、上記実施の形態に限定されるものではなく、本発明の趣旨を逸脱しない範囲で自由に変形して実施することができる。
【０１０６】
例えば、修正信号に現時点での発光量を修正する信号を含めることにより、端末９を用いて現時点での自動調光照明器具２からの発光量をメインテナンスすることが可能となる。具体的には、メインテナンスシステム１の利用者（不図示）が、入力ボタン１１より、自動調光照明器具２において実現したい調光に関する情報を入力する。これに基づき、また前述の調光を実現したい自動調光照明器具２の固有番号を指定番号として含め、修正信号を端末９の通信カード１０（端末アンテナ部１０ｂ）より配信する。これを自動調光照明器具２の通信ユニット４（通信アンテナ部５）で受信する。自動調光照明器具２のマイコンユニット４４は、指定信号が自身の固有番号と一致した場合に限り、修正信号に基づき現時点での調光を修正すべく、選択部４３に指示を行う。
【０１０７】
以上により、メインテナンスシステム１において、自動調光照明器具２の現時点の発光量を、端末９を用いてメインテナンスすることができる。また、上記は、発光量に限らず、色調の修正などにも使用できる。
【０１０８】
また、上記実施の形態においては、無線通信回線を利用し自動調光照明器具２と、端末９間の信号の授受を行ったが、有線通信回線を利用したものであってもよい。
【０１０９】
また、メインテナンスシステム１を利用して、自動調光照明器具２にかわり空調設備（不図示）のメインテナンスを行っても良い。
【産業上の利用可能性】
【０１１０】
本発明は、メインテナンスシステムに適用でき、特に、固体発光素子を利用した自動調光照明器具のメインテナンスシステムに適用できる。
【図面の簡単な説明】
【０１１１】
【図１】本発明のメインテナンスシステム１の外観を示す斜視図である。
【図２】本発明の自動調光照明器具２の構造を示す断面図である。
【図３】オフィス２０１に本発明のメインテナンスシステム１を適用した場合の模式図である。
【図４】本発明のメインテナンスシステム１の機能ブロック図である。
【図５】メモリ４４ａに保持されるタイムテーブルの一例である。
【図６】端末メモリ１０ａに保持されるリストの一例である。
【図７】通信ユニット４と、通信カード１０との間で授受される信号形式の一例である。
【図８】本発明のメインテナンスシステム１の動作を説明するフローチャートである。
【符号の説明】
【０１１２】
１  メインテナンスシステム
２、２ａ、２ｂ、２ｃ、２ｄ、２ｅ、２ｆ、２ｇ、２ｈ、２ｉ  自動調光照明器具
３  電源装置
４  通信ユニット
５  通信アンテナ部
６  確認灯
７  コンセント
９  端末
１０  通信カード
１０ａ  端末メモリ
１０ｂ  端末アンテナ部
１１  入力ボタン
１２  表示画面
２２  筐体
３１  筐体部
３２  基板
３３  固体発光素子
３４  保護用透光板
４１  商用電源
４２  整流部
４３  選択部
４４  マイコンユニット
４４ａ  メモリ
７１  ＩＤ部
７２  データ部
２０１  オフィス
【図１】
2009134955.tif 000003
【図２】
2009134955.tif 000004
【図３】
2009134955.tif 000005
【図４】
2009134955.tif 000006
【図５】
2009134955.tif 000007
【図６】
2009134955.tif 000008
【図７】
2009134955.tif 000009
【図８】
2009134955.tif 000010